(57)【要約】【課題】画像処理装置により読取処理された読取画像がウェアラブル端末に配信されるシステムにおいて、ウェアラブル端末上で読取画像を表示させるために用いられる読取処理の設定情報を従来よりも容易に設定できるようにすること。【解決手段】原稿を読み取って読取画像を生成する読取処理を行う画像処理装置及び装着可能な情報処理端末であって画像処理装置から読取画像が配信されるウェアラブル端末を含む読取画像配信システムにおいて、画像処理装置は、ウェアラブル端末が有する画像表示に関する機能を示す表示機能情報を含む端末機能情報を取得し、取得した端末機能情報に含まれる表示機能情報に基づいて、読取処理の際に用いられる設定情報を生成するために画像処理装置の表示部に表示される設定画面において設定項目の選択可否を制御することを特徴とする。【選択図】図６
2015133674.tif 000002
【特許請求の範囲】
【請求項１】
原稿を読み取って読取画像を生成する読取処理を行う画像処理装置及び装着可能な情報処理端末であって前記画像処理装置から前記読取画像が配信されるウェアラブル端末を含む読取画像配信システムであって、
前記画像処理装置は、
前記ウェアラブル端末が有する画像表示に関する機能を示す表示機能情報を含む端末機能情報を取得する端末機能情報取得部と、
取得した前記端末機能情報に含まれる前記表示機能情報に基づいて、前記読取処理の際に用いられる設定情報を生成するために前記画像処理装置の表示部に表示される設定画面において設定項目の選択可否を制御する設定画面制御部と
を含むことを特徴とする読取画像配信システム。
【請求項２】
前記端末機能情報取得部は、前記ウェアラブル端末を装着した人体を介して前記ウェアラブル端末と通信することにより前記端末機能情報を取得する
ことを特徴とする請求項１に記載の読取画像配信システム。
【請求項３】
前記画像処理装置は、
前記ウェアラブル端末を識別する端末識別情報を取得する端末識別情報取得部
を含み、
前記端末機能情報取得部は、記憶媒体に記憶された各ウェアラブル端末の端末機能情報の中から、取得した前記端末識別情報により識別される前記ウェアラブル端末の前記端末機能情報を取得する
ことを特徴とする請求項１又は２に記載の読取画像配信システム。
【請求項４】
前記ウェアラブル端末は、
前記画像処理装置の前記表示部に表示された前記設定画面を介して生成された前記設定情報に基づく前記読取処理により生成された読取画像を取得する読取画像取得部と、
取得した前記読取画像を処理する読取画像処理部と
を含むことを特徴とする請求項１〜３のいずれか１項に記載の読取画像配信システム。
【請求項５】
前記端末機能情報は、前記ウェアラブル端末において前記読取画像に対して実行可能な処理を示す実行可能処理情報を含み、
前記設定画面制御部は、前記端末機能情報に含まれる前記実行可能処理情報に基づいて、前記設定画面において前記読取画像に対して実行する処理の設定項目の選択可否を制御し、
前記ウェアラブル端末は、
前記設定画面を介して選択された前記読取画像に対して実行する処理を示す処理情報を取得する処理情報取得部
を含み、
前記読取画像処理部は、取得した前記処理情報に従って前記読取画像に対する処理を行う
ことを特徴とする請求項４に記載の読取画像配信システム。
【請求項６】
前記処理情報取得部は、前記ウェアラブル端末の表示部に前記読取画像を表示させる表示処理を示す前記処理情報を取得し、
前記読取画像処理部は、取得した前記処理情報に従って、前記ウェアラブル端末の前記表示部に前記読取画像を表示させる
ことを特徴とする請求項５に記載の読取画像配信システム。
【請求項７】
前記ウェアラブル端末は、
前記ウェアラブル端末を装着した人体を介して前記画像処理装置と人体通信することにより、前記画像処理装置と前記人体通信以外の通信手段で通信するための情報である装置接続情報を取得する装置接続情報取得部
を含み、
前記読取画像取得部は、取得した前記装置接続情報に基づいて前記人体通信以外の通信手段で前記画像処理装置と通信することにより前記読取画像を取得する
ことを特徴とする請求項４〜６のいずれか１項に記載の読取画像配信システム。
【請求項８】
原稿を読み取って読取画像を生成する読取処理を行って装着可能な情報処理端末であるウェアラブル端末に対して生成した前記読取画像を配信する画像処理装置であって、
前記ウェアラブル端末が有する画像表示に関する機能を示す表示機能情報を含む端末機能情報を取得する端末機能情報取得部と、
取得した前記端末機能情報含まれる前記表示機能情報に基づいて、前記画像処理の際に用いられる設定情報を生成するために前記画像処理装置の表示部に表示される設定画面において設定項目の選択可否を制御する設定画面制御部と
を含むことを特徴とする画像処理装置。
【請求項９】
原稿を読み取って読取画像を生成する読取処理を行って装着可能な情報処理端末であるウェアラブル端末に対して生成した前記読取画像を配信する画像処理装置を制御する制御プログラムであって、
前記ウェアラブル端末が有する画像表示に関する機能を示す表示機能情報含む端末機能情報を取得するステップと、
取得した前記端末機能情報に含まれる前記表示機能情報に基づいて前記画像処理の際に用いられる設定情報を生成するために前記画像処理装置の表示部に表示される設定画面において設定項目の選択可否を制御するステップと
を情報処理装置に実行させることを特徴とする制御プログラム。
【発明の詳細な説明】
【技術分野】
【０００１】
本発明は、読取画像配信システム、画像処理装置及び制御プログラムに関し、特に、画像処理装置とウェアラブル端末とが連携した画像処理に関する。
【背景技術】
【０００２】
近年、情報の電子化が推進される傾向にあり、電子化された情報の出力に用いられるプリンタやファクシミリ及び書類の電子化に用いるスキャナ等の画像処理装置は欠かせない機器となっている。このような画像処理装置は、撮像機能、画像形成機能及び通信機能等を備えることにより、プリンタ、ファクシミリ、スキャナ、複写機として利用可能なＭＦＰ（Ｍｕｌｔｉ  Ｆｕｎｃｔｉｏｎ  Ｐｅｒｉｐｈｅｒａｌ：複合機）として構成されることが多い。
【０００３】
また、近年、ＰＣ（Ｐｅｒｓｏｎａｌ  Ｃｏｍｐｕｔｅｒ）等に準じた情報処理機能を有し、人が装着可能な情報処理端末（以降、「ウェアラブル端末」とする）の普及が進んでいる。このようなウェアラブル端末は、腕時計型やヘッドマウント型等、人が身に着けることのできる形状である。また、このようなウェアラブル端末は、タッチパネル、ＧＰＳ機能、速度センサ、無線通信機能等のインタフェースを備えていることが多く、ソフトウェア・プログラムの機能次第で様々な用途に用いることが可能である。
【０００４】
このようなウェアラブル端末と画像処理装置とが連携して画像処理装置において画像処理を行うことが考えられる。具体的には、例えば、画像処理装置がスキャン処理を行い処理結果である読取画像をウェアラブル端末へ送信してウェアラブル端末の表示部に表示させることが考えられる。
【０００５】
また、画像データを送信する際の操作を容易にすることを目的として、画像データを記憶する通信機器がウェアラブル端末等のメールアドレスを人体通信により取得して、取得したメールアドレス宛てに画像データを添付したメールを送信する方法が提案されている（例えば、特許文献１を参照）。
【発明の概要】
【発明が解決しようとする課題】
【０００６】
このようなウェアラブル端末が、連携する画像処理装置に対してスキャン処理結果である読取画像を要求する場合、ウェアラブル端末側でスキャン処理の際に用いられる設定情報を設定して画像処理装置に送信することが一般的である。しかしながら、ウェアラブル端末は、ＰＣやスマートフォン等の携帯端末と比較して画面が小さくＵＩ（Ｕｓｅｒ  Ｉｎｔｅｒｆａｃｅ）も貧弱であるため操作性が悪い。そのため、ウェアラブル端末のディスプレイパネルに表示される設定画面を介した設定情報の設定操作は困難である。
【０００７】
そこで、ウェアラブル端末のディスプレイパネルよりも画面が広くＵＩも豊富である画像処理装置のディスプレイパネルに表示される設定画面を介して設定情報の設定操作を行うことが考えられる。その際、ウェアラブル端末のディスプレイ上で読取画像を適切に表示させるための設定情報を設定する必要がある。しかしながら、このような設定を行うためには、ウェアラブル端末のスペック等に応じて設定項目を正しく選択しなければならず、ウェアラブル端末のスペック等の知識に乏しいユーザが設定操作を行うことは困難である。
【０００８】
また、特許文献１に開示された技術においては、ウェアラブル端末のディスプレイパネル上で読取画像を表示させるための設定情報を設定することは考慮されていない。
【０００９】
本発明は、このような課題を解決するためになされたものであり、画像処理装置により読取処理された読取画像がウェアラブル端末に配信されるシステムにおいて、ウェアラブル端末上で読取画像を表示させるために用いられる読取処理の設定情報を従来よりも容易に設定できるようにすることを目的とする。
【課題を解決するための手段】
【００１０】
上記課題を解決するために、本発明の一態様は、原稿を読み取って読取画像を生成する読取処理を行う画像処理装置及び装着可能な情報処理端末であって前記画像処理装置から前記読取画像が配信されるウェアラブル端末を含む読取画像配信システムであって、前記画像処理装置は、前記ウェアラブル端末が有する画像表示に関する機能を示す表示機能情報を含む端末機能情報を取得する端末機能情報取得部と、取得した前記端末機能情報に含まれる前記表示機能情報に基づいて、前記読取処理の際に用いられる設定情報を生成するために前記画像処理装置の表示部に表示される設定画面において設定項目の選択可否を制御する設定画面制御部とを含むことを特徴とする。
【発明の効果】
【００１１】
本発明によれば、画像処理装置により読取処理された読取画像がウェアラブル端末に配信されるシステムにおいて、ウェアラブル端末上で読取画像を表示させるために用いられる読取処理の設定情報を従来よりも容易に設定することが可能になる。
【図面の簡単な説明】
【００１２】
【図１】本実施形態に係るシステムの運用形態を示す図である。
【図２】本発明の実施形態に係る情報処理装置のハードウェア構成を模式的に示すブロック図である。
【図３】本発明の実施形態に係る画像処理装置の機能構成を示すブロック図である。
【図４】本発明の実施形態に係るウェアラブル端末の機能構成を示すブロック図である。
【図５】本発明の実施形態に係る人体通信の態様を示す図である。
【図６】本発明の実施形態に係る画像処理装置の主制御部の機能構成を示すブロック図である。
【図７】本実施形態に係る端末機能情報を示す図である。
【図８】本実施形態に係る画像処理装置のディスプレイパネルに表示される設定画面を示す図である。
【図９】本実施形態に係るウェアラブル端末のクライアントアプリケーションの機能構成を示すブロック図である。
【図１０】本実施形態に係るウェアラブル端末のＬＣＤに表示される画面を示す図である。
【図１１】本実施形態に係るシステムにおいてウェアラブルスキャンが行われる場合の動作を示すシーケンス図である。
【図１２】本実施形態に係る画像処理装置の主制御部の機能構成を示すブロック図である。
【図１３】本実施形態に係る端末機能情報テーブル記憶部に記憶されている端末機能情報テーブルを示す図である。
【図１４】本実施形態に係る端末機能情報取得部による端末機能情報取得処理を示すフローチャートである。
【発明を実施するための形態】
【００１３】
以下、図面を参照して、本発明の実施形態を詳細に説明する。本実施形態においては、人が身に着けて持ち歩くことができる腕時計型やヘッドマウントディスプレイ型等のウェアラブル端末及び画像処理装置が連携したシステムの例として説明する。
【００１４】
図１は、本実施形態に係る画像処理システムの運用形態の例を示す図である。図１に示すように、本実施形態に係る画像処理システムは、画像処理装置１及びユーザが身に着けるウェアラブル端末２が、互いに通信可能に接続されて構成されている。
【００１５】
画像処理装置１は、撮像機能、画像形成機能及び通信機能等を備えることにより、プリンタ、ファクシミリ、スキャナ、複写機として利用可能なＭＦＰ（Ｍｕｌｔｉ  Ｆｕｎｃｔｉｏｎ  Ｐｅｒｉｐｈｅｒａｌ：複合機）である。
【００１６】
また、ウェアラブル端末２は、人が装着可能な腕時計型やヘッドマウントディスプレイ型の情報処理端末である。本実施形態に係るウェアラブル端末２は、画像処理装置１本体とは独立して制御される情報処理端末であり、画像処理装置１を提供するメーカーやサードパーティによって提供されているアプリケーション・プログラムがインストールされることにより、画像処理装置１と連携して処理を行うための装置として機能する。なお、以下、ユーザの腕に装着する腕時計型の情報処理端末をウェアラブル端末２の例として説明する。
【００１７】
次に、本実施形態に係る画像処理システムに含まれる画像処理装置１及びウェアラブル端末２の情報処理装置を構成するハードウェアについて説明する。図２は、本実施形態に係る情報処理装置のハードウェア構成を示すブロック図である。図２に示すように、本実施形態に係る情報処理装置は、一般的なサーバやＰＣ（Ｐｅｒｓｏｎａｌ  Ｃｏｍｐｕｔｅｒ）等と同様の構成を含む。
【００１８】
すなわち、本実施形態に係る情報処理装置は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス８０を介して接続されて構成されている。また、Ｉ／Ｆ５０にはＬＣＤ（Ｌｉｑｕｉｄ  Ｃｒｙｓｔａｌ  Ｄｉｓｐｌａｙ）６０及び操作部７０が接続されている。この他、画像処理装置１の場合、画像形成出力やスキャンを実行するエンジンが含まれる。
【００１９】
ＣＰＵ１０は演算手段であり、情報処理装置全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。なお、ＨＤＤの他、ＳＳＤ（Ｓｏｌｉｄ  Ｓｔａｔｅ  Ｄｒｉｖｅ）等の半導体記憶装置を用いても良い。
【００２０】
Ｉ／Ｆ５０は、バス８０と各種のハードウェアやネットワーク等を接続し制御する。ＬＣＤ６０は、ユーザが情報処理装置の状態を確認するための視覚的ユーザインタフェースである。操作部７０は、キーボード、マウス、各種のハードボタン、タッチパネル等、ユーザが情報処理装置に情報を入力するためのユーザインタフェースである。
【００２１】
このようなハードウェア構成において、ＲＯＭ３０やＨＤＤ４０若しくは図示しない光学ディスク等の記憶媒体に格納されたプログラムがＲＡＭ２０に読み出され、ＣＰＵ１０がそれらのプログラムに従って演算を行うことによりソフトウェア制御部が構成される。このようにして構成されたソフトウェア制御部と、ハードウェアとの組み合わせによって、本実施形態に係る画像処理システムを構成する各機器の機能を実現する機能ブロックが構成される。
【００２２】
次に、本実施形態に係る画像処理装置１の機能について説明する。図３は、本実施形態に係る画像処理装置１の機能構成を示すブロック図である。図３に示すように、本実施形態に係る画像処理装置１は、コントローラ１００、ＡＤＦ（Ａｕｔｏ  Ｄｏｃｕｍｅｎｎｔ  Ｆｅｅｄｅｒ：原稿自動搬送装置）１１０、スキャナユニット１１１、排紙トレイ１１２、ディスプレイパネル１１３、給紙テーブル１１４、プリントエンジン１１５、排紙トレイ１１６、ネットワークＩ／Ｆ１１７、近距離通信Ｉ／Ｆ１１８及び人体通信Ｉ／Ｆ１１９を有する。
【００２３】
また、コントローラ１００は、主制御部１３０、エンジン制御部１０１、入出力制御部１０２、画像処理部１０３及び操作表示制御部１０４を有する。図３に示すように、本実施形態に係る画像処理装置１は、スキャナユニット１１１、プリントエンジン１１５を有する複合機として構成されている。なお、図３においては、電気的接続を実線の矢印で示しており、用紙の流れを破線の矢印で示している。
【００２４】
ディスプレイパネル１１３は、画像処理装置１の状態を視覚的に表示する出力インタフェースであると共に、タッチパネルとしてユーザが画像処理装置１を直接操作し若しくは画像処理装置１に対して情報を入力する際の入力インタフェース（操作部）でもある。
【００２５】
ネットワークＩ／Ｆ１１７は、画像処理装置１がネットワークを介して管理者用端末等の他の機器と通信するためのインタフェースであり、Ｅｔｈｅｒｎｅｔ（登録商標）やＵＳＢインタフェースが用いられる。近距離通信Ｉ／Ｆ１１８は、画像処理装置１が近距離無線通信により他の機器と通信するためのインタフェースであり、Ｂｌｕｅｔｏｏｔｈ（登録商標）、Ｗｉ−Ｆｉ（Ｗｉｒｅｌｅｓｓ  Ｆｉｄｅｌｉｔｙ）、ＦｅｌｉＣａ（登録商標）等のインタフェースが用いられる。人体通信Ｉ／Ｆ１１９は、画像処理装置１が人体を通信媒体として利用する人体通信により他の機器と通信するためのインタフェースである（具体的な通信例については後述する）。
【００２６】
コントローラ１００は、ソフトウェアとハードウェアとの組み合わせによって構成される。具体的には、ＲＯＭ３０やＨＤＤ４０等の不揮発性記憶媒体に格納されたファームウェア等の制御プログラムが、ＲＡＭ２０にロードされ、それらのプログラムに従ってＣＰＵ１０が演算を行うことにより構成されるソフトウェア制御部と集積回路などのハードウェアとによってコントローラ１００が構成される。コントローラ１００は、画像処理装置１全体を制御する制御部として機能する。
【００２７】
主制御部１３０は、コントローラ１００に含まれる各部を制御する役割を担い、コントローラ１００の各部に命令を与える。エンジン制御部１０１は、プリントエンジン１１５やスキャナユニット１１１等を制御若しくは駆動する駆動手段としての役割を担う。入出力制御部１０２は、ネットワークＩ／Ｆ１１７、近距離通信Ｉ／Ｆ１１８及び人体通信Ｉ／Ｆ１１９を介して入力される信号や命令を主制御部１３０に入力する。また、主制御部１３０は、入出力制御部１０２を制御し、ネットワークＩ／Ｆ１１７、近距離通信Ｉ／Ｆ１１８及び人体通信１１９を介して他の装置にアクセスする。
【００２８】
画像処理部１０３は、主制御部１３０の制御に従い、印刷出力すべき画像情報に基づいて描画情報を生成する。この描画情報とは、画像形成部であるプリントエンジン１１５が画像形成動作において形成すべき画像を描画するための情報である。また、画像処理部１０３は、スキャナユニット１１１から入力される撮像データを処理し、画像データを生成する。この画像データとは、スキャナ動作の結果物として画像処理装置１に格納され若しくはネットワークＩ／Ｆ１１７や近距離通信Ｉ／Ｆ１１８を介して他の機器に送信される情報である。操作表示制御部１０４は、ディスプレイパネル１１３に情報表示を行い若しくはディスプレイパネル１１３を介して入力された情報を主制御部１３０に通知する。
【００２９】
画像処理装置１がプリンタとして動作する場合は、まず、入出力制御部１０２がネットワークＩ／Ｆ１１７を介して印刷ジョブを受信する。入出力制御部１０２は、受信した印刷ジョブを主制御部１３０に転送する。主制御部１３０は、印刷ジョブを受信すると、画像処理部１０３を制御して印刷ジョブに含まれる文書情報若しくは画像情報に基づいて描画情報を生成する。画像処理部１０３によって描画情報が生成されると、エンジン制御部１０１は、生成された描画情報に基づき、給紙テーブル１１４から搬送される用紙に対して画像形成を実行する。プリントエンジン１１５の具体的態様としては、インクジェット方式による画像形成機構や電子写真方式による画像形成機構等を用いることが可能である。プリントエンジン１１５によって画像形成が施された文書は排紙トレイ１１６に排紙される。
【００３０】
画像処理装置１がスキャナとして動作する場合は、ユーザによるディスプレイパネル１１３の操作若しくはネットワークＩ／Ｆ１１７を介して外部の機器から入力されるスキャン実行指示に応じて、操作表示制御部１０４若しくは入出力制御部１０２が主制御部１３０にスキャン実行信号を転送する。主制御部１３０は、受信したスキャン実行信号に基づき、エンジン制御部１０１を制御する。エンジン制御部１０１は、ＡＤＦ１１０を駆動し、ＡＤＦ１１０にセットされた撮像対象原稿をスキャナユニット１１１に搬送する。また、エンジン制御部１０１は、スキャナユニット１１１を駆動し、ＡＤＦ１１０から搬送される原稿を撮像する。また、ＡＤＦ１１０に原稿がセットされておらず、スキャナユニット１１１に直接原稿がセットされた場合、スキャナユニット１１１は、エンジン制御部１０１の制御に従い、セットされた原稿を撮像する。即ち、スキャナユニット１１１が撮像部として動作する。
【００３１】
撮像動作においては、スキャナユニット１１１に含まれるＣＣＤ等の撮像素子が原稿を光学的に走査し、光学情報に基づいた撮像情報が生成される。エンジン制御部１０１は、スキャナユニット１１１が生成した撮像情報を画像処理部１０３に転送する。画像処理部１０３は、主制御部１３０の制御に従い、エンジン制御部１０１から受信した撮像情報に基づき画像情報を生成する。画像処理部１０３が生成した画像情報はＨＤＤ４０等の画像処理装置１に装着された記憶媒体に保存される。画像処理部１０３によって生成された画像情報は、ユーザの指示に応じてそのままＨＤＤ４０等に格納され若しくはネットワークＩ／Ｆ１１７、近距離通信Ｉ／Ｆ１１８を介して、入出力制御部１０２により外部の装置に送信される。
【００３２】
また、画像処理装置１が複写機として動作する場合は、エンジン制御部１０１がスキャナユニット１１１から受信した撮像情報若しくは画像処理部１０３が生成した画像情報に基づき、画像処理部１０３が描画情報を生成する。その描画情報に基づいてプリンタ動作の場合と同様に、エンジン制御部１０１がプリントエンジン１１５を駆動する。
【００３３】
次に、本実施形態に係るウェアラブル端末２の機能構成について、図４を参照して説明する。図４に示すように、本実施形態に係るウェアラブル端末２は、図２において説明したＬＣＤ６０、操作部７０に加えて、コントローラ２００、ネットワークＩ／Ｆ２１０、近距離通信Ｉ／Ｆ２１１及び人体通信Ｉ／Ｆ２１２を含む。また、コントローラ２００は、入出力制御部２０１、操作制御部２０２、表示制御部２０３及びクライアントアプリケーション２３０を含む。
【００３４】
ネットワークＩ／Ｆ２１０は、ウェアラブル端末２がネットワークを介して他の機器と通信するためのインタフェースであり、Ｅｔｈｅｒｎｅｔ（登録商標）等のインタフェースが用いられる。近距離通信Ｉ／Ｆ２１１は、ウェアラブル端末２が近距離無線通信により他の機器と通信するためのインタフェースであり、Ｂｌｕｅｔｏｏｔｈ（登録商標）、Ｗｉ−Ｆｉ（Ｗｉｒｅｌｅｓｓ  Ｆｉｄｅｌｉｔｙ）、ＦｅｌｉＣａ（登録商標）等のインタフェースが用いられる。
【００３５】
人体通信Ｉ／Ｆ２１２は、ウェアラブル端末２が人体を通信媒体として利用する人体通信により他の機器と通信するためのインタフェースである（具体的な通信例については後述する）。ネットワークＩ／Ｆ２１０、近距離通信Ｉ／Ｆ２１１は及び人体通信Ｉ／Ｆ２１２は、図２に示すＩ／Ｆ５０によって実現される。
【００３６】
コントローラ２００は、ソフトウェアとハードウェアとの組み合わせによって構成される。コントローラ２００は、ウェアラブル端末２全体を制御する制御部である。入出力制御部２０１は、ネットワークＩ／Ｆ２１０、近距離通信Ｉ／Ｆ２１１及び人体通信Ｉ／Ｆ２１２を介して入力される情報を取得すると共に、ネットワークＩ／Ｆ２１０、近距離通信Ｉ／Ｆ２１１及び人体通信Ｉ／Ｆ２１２を介して他の機器に情報を送信する。
【００３７】
操作制御部２０２は、操作部７０に対するユーザによる操作内容の信号を取得し、クライアントアプリケーション２３０等のウェアラブル端末２において動作するモジュールに入力する。表示制御部２０３は、クライアントアプリケーション２３０のＧＵＩ（Ｇｒａｐｈｉｃａｌ  Ｕｓｅｒ  Ｉｎｔｅｒｆａｃｅ）等、ウェアラブル端末２の状態をＬＣＤ６０に表示させる。
【００３８】
クライアントアプリケーション２３０は、本実施形態に係る画像処理システムの機能をウェアラブル端末２において利用するために、ウェアラブル端末２にインストールされて動作するソフトウェア・プログラムによって構成される。クライアントアプリケーション２３０は、ウェアラブル端末２が有する機能（スペック）を示す端末機能情報を画像処理装置１に対して送信し、送信された端末機能情報に基づいて生成された設定情報に基づいて画像処理装置１により画像処理された結果を受信してＬＣＤ６０に表示させる機能等を実現する。
【００３９】
ここで、本実施形態に係る画像処理装置１の人体通信Ｉ／Ｆ１１９及びウェアラブル端末２の人体通信Ｉ／Ｆ２１２を介した人体通信について、図５を参照して説明する。図５は、本実施形態に係る画像処理装置１の人体通信Ｉ／Ｆ１１９及びウェアラブル端末２の人体通信Ｉ／Ｆ２１２を介した人体通信の態様を例示する図である。
【００４０】
図５に示すように、例えば、腕時計型のウェアラブル端末２を装着することにより、ユーザの体の一部がウェアラブル端末２の人体通信Ｉ／Ｆ２１２に接触する。そして、ウェアラブル端末２を装着したユーザが、画像処理装置１に搭載された人体端末Ｉ／Ｆ１１９に触れると、ユーザ（人体）を通信媒体として画像処理装置１とウェアラブル端末２との間でデータ通信が可能となる。
【００４１】
例えば、図５に示すように画像処理装置１のディスプレイパネル１１３に搭載されたスタートボタンが、人体通信Ｉ／Ｆ１１９としても機能する。ウェアラブル端末２を装着したユーザが、「ＨＤＤスキャン」等のスキャン種別の中からウェアラブル端末に対して読取画像を送信する「ウェアラブルスキャン」を選択してスタートボタンを押下したり、スキャン処理を開始するためにスタートボタンを押下したりすると、画像処理装置１とウェアラブル端末２との間で人体通信が確立される。また、ユーザがスタートボタンから指を離すと人体通信が切断される。なお、本実施形態においては、スタートボタンが人体通信Ｉ／Ｆ１１９としても機能する場合を例として説明しているが、スタートボタンとは別に人体通信Ｉ／Ｆ１１９が搭載されていてもよい。この場合、ウェアラブル端末２を装着したユーザは、スタートボタンを押下した後、別途人体通信Ｉ／Ｆ１１９に触れることになる。
【００４２】
このようなシステムの構成において、本実施形態に係る画像処理装置１は、ウェアラブル端末２から送信された端末機能情報に基づいて画像処理装置１の表示部に表示される設定画面を生成し、生成された設定画面を介して設定された設定情報に基づいて画像処理装置１により画像処理を行うことを特徴とする。以下、画像処理としてスキャン処理（読取処理）を行う場合を例として説明する。この場合、画像処理システムは、画像処理装置１においてスキャン処理により生成された読取画像をウェアラブル端末２に対して配信（送信）する読取画像配信システムとして機能する。
【００４３】
次に、本実施形態に係る画像処理装置１の主制御部１３０のうちウェアラブル端末２との連携処理に関する機能構成について、図６を参照して説明する。図６は、本実施形態に係る主制御部１３０のうちウェアラブル端末２との連携処理に関する機能構成を例示するブロック図である。
【００４４】
図６に示すように、主制御部１３０は、端末機能情報取得部１３１、設定画面生成部１３２、設定受付部１３３、命令処理部１３４、ジョブ情報送信部１３５、装置接続情報送信部１３６、要求取得部１３７、処理状態通知部１３８及びデータ送信部１３９を含む。なお、図６においては、主制御部１３０の各構成部が人体通信Ｉ／Ｆ１１９、ネットワークＩ／Ｆ１１７、ディスプレイパネル１１３と直接接続された図となっているが、実際には入出力制御部１０２や操作表示制御部１０４の制御によりデータが入出力されている。また、ネットワークＩ／Ｆ１１７を介して行われるデータ入出力については、近距離通信Ｉ／Ｆ１１８を介して行われてもよい。
【００４５】
端末機能情報取得部１３１は、上述したようにウェアラブル端末２を装着したユーザがディスプレイパネル１１３を介してウェアラブルスキャンを選択してスタートボタンを押下することにより人体通信が確立されると、人体通信Ｉ／Ｆ１１９を介してウェアラブル端末２から送信された端末機能情報を取得して、設定画面生成部１３２に対して出力する。
【００４６】
図７は、端末機能情報取得部１３１が取得した端末機能情報を例示する図である。端末機能情報は、例えば、表示機能情報及び実行可能処理情報を含む。表示機能情報は、ウェアラブル端末２の画像表示に関する機能を示し、例えば、図７に示すように、ウェアラブル端末２に搭載されたディスプレイの種別、ウェアラブル端末２のＬＣＤ６０に表示させることができる対応画像のフォーマットを含む。また、実行可能処理情報は、図７に示すように、画像処理装置１から送信された処理結果である読取画像に対する実行可能なオペレーションである。
【００４７】
例えば、図７に示した端末機能情報のディスプレイ種別はモノクロディスプレイであり、対応画像フォーマットは、ＪＰＥＧ（Ｊｏｉｎｔ  Ｐｈｏｔｏｇｒａｐｈｉｃ  Ｅｘｐｅｒｔｓ  Ｇｒｏｕｐ）及びＰＤＦ（Ｐｏｒｔａｂｌｅ  Ｄｏｃｕｍｅｎｔ  Ｆｏｒｍａｔ）であり、実行可能なオペレーションは、「表示」及び「保存」である。「表示」のオペレーションは、画像処理装置１から送信された読取画像をウェアラブル端末２のＬＣＤ６０に表示させる処理であり、「保存」のオペレーションは、読取画像をウェアラブル端末２の記憶媒体等に記憶させる処理である。
【００４８】
設定画面生成部１３２は、端末機能情報取得部１３１から入力された端末機能情報に基づいて、画像処理装置１のディスプレイパネル１１３に表示させる設定画面を生成する。設定画面は、画像処理装置１によりスキャナ処理を行う際に用いられる設定情報を生成するための設定操作を行うための画面である。
【００４９】
具体的には、例えば、設定画面生成部１３２は、取得した端末機能情報に含まれるディスプレイ種別、対応画像フォーマット及び実行可能オペレーションに対応する項目のみを選択可能な設定画面を生成する。また、設定画面生成部１３２は、生成した設定画面をディスプレイパネル１１３に表示させる。
【００５０】
図８は、ディスプレイパネル１１３に表示された設定画面を例示する図である。図８に示した設定画面は、図７に示した端末機能情報が入力された設定画面生成部１３２により生成されたものである。図７に示した端末機能情報においては、ディスプレイ種別がモノクロディスプレイなので、図８に示すように設定画面のスキャンモードでは、スキャンした画像をモノクロで生成する「モノクロ」モードのみが選択可能な状態になっており、スキャンした画像をカラーで生成する「カラー」モードは、選択不可能な状態（図８に示した設定画面においては「カラー」の項目が点線で示された状態）になっている。
【００５１】
同様に、図８に示した設定画面のフォーマットでは、スキャン処理により生成される読取画像のフォーマットの設定項目として「ＰＤＦ」及び「ＪＰＥＧ」のみが選択可能な状態になっており、「ＴＩＦＦ（Ｔａｇｇｅｄ  Ｉｍａｇｅ  Ｆｉｌｅ  Ｆｏｒｍａｔ」は選択不可能な状態になっている。また、図８に示した設定画面のスキャン後の操作では、画像処理装置１におけるスキャン処理の処理結果すなわち読取画像をウェアラブル端末２に送信した後の処理の設定項目として「保存」及び「表示」ともに選択可能な状態になっている。
【００５２】
このように設定画面生成部１３２は、取得した端末機能情報に基づいて、設定画面において各設定項目の選択可否を制御する設定画面制御部として機能する。
【００５３】
設定受付部１３３は、ディスプレイパネル１１３に表示された設定画面を介してユーザにより設定された設定情報を受け付ける。例えば、ユーザが図８に示した設定画面を介して、フォーマット「ＪＰＥＧ」及びスキャン後の操作「表示」を選択することで、設定受付部１３３は、スキャン処理時のスキャンモードを「モノクロ」、フォーマットを「ＪＰＥＧ」、スキャン後の操作を「表示」とする設定情報を受け付ける。
【００５４】
命令処理部１３４は、ユーザによるディスプレイパネル１１３の操作に応じて、命令を処理する。例えば、ユーザが図８に示した設定画面を介して設定情報を設定し、スタートボタンを押下すると、命令処理部１３４は、エンジン制御部１０１を制御して設定受付部１３３が受け付けた設定情報に基づくスキャン処理を実行する。
【００５５】
また、命令処理部１３４は、スキャン処理を実行する際にジョブ情報を生成してジョブ情報送信部１３５に対して出力する。ジョブ情報は、例えば、スキャン処理のジョブを識別するジョブＩＤ及び読取画像に対するウェアラブル端末２における処理を示す処理情報として設定受付部１３３が受け付けたスキャン後の操作情報（例えば、「表示」）を含む。
【００５６】
また、命令処理部１３４は、後述する要求取得部１３７から入力された要求に応じて、実行している処理の状態（例えば、「処理中」や「処理完了」）を処理状態通知部１３８に対して出力したり、処理結果のデータ（例えば、読取画像）をデータ送信部１３９に対して出力したりする。
【００５７】
ジョブ情報送信部１３５は、上述したようにウェアラブル端末２を装着したユーザがスキャン処理を開始するためにディスプレイパネル１１３のスタートボタンを押下することにより人体通信が確立されると、命令処理部１３４から入力されたジョブ情報を、人体通信Ｉ／Ｆ１１９を介してウェアラブル端末２に対して出力する。
【００５８】
装置接続情報送信部１３６は、ジョブ情報送信部１３５からのジョブ情報の送信とともに、人体通信Ｉ／Ｆ１１９を介して装置接続情報をウェアラブル端末２に対して出力する。装置接続情報は、ウェアラブル端末２が画像処理装置１と人体通信以外の通信手段で通信を行うための情報である。人体通信以外の通信手段は、例えば、ネットワークＩ／Ｆ１１７、２１０や近距離通信Ｉ／Ｆ１１８、２１１が用いられる。以降、このような人体通信以外の通信を総じて「ネットワーク通信」とする。
【００５９】
例えば、ウェアラブル端末２が画像処理装置１とＷｉ−Ｆｉのアドホックモードで接続する場合、装置接続情報は、ＢＳＳＩＤ（Ｂａｓｉｃ  Ｓｅｒｖｉｃｅ  Ｓｅｔ  Ｉｄｅｎｔｉｆｉｅｒ）、認証種別、暗号キー（ＷＥＰ（Ｗｉｒｅｄ  Ｅｑｕｉｖａｌｅｎｔ  Ｐｒｉｖａｃｙ）キー）、画像処理装置１のＩＰ（Ｉｎｅｔｅｒｎｅｔ  Ｐｒｏｔｏｃｏｌ）アドレス及びサブネットマスク等を含む。
【００６０】
要求取得部１３７は、装置接続情報送信部１３６により送信された装置接続情報に基づいてウェアラブル端末２と画像処理装置１とのネットワーク通信が確立されると、ネットワークＩ／Ｆ１１７を介してウェアラブル端末２からの要求を取得して、命令処理部１３４に対して出力する。ウェアラブル端末２からの要求は、例えば、スキャン処理の状態通知要求及び読取画像の送信要求である。
【００６１】
処理状態通知部１３８は、要求取得部１３７からの状態通知要求に応じて命令処理部１３４から入力されたスキャン処理の処理状態を取得して、ネットワークＩ／Ｆ１１７を介してウェアラブル端末２に対して通知する。データ送信部１３９は、要求取得部からの読取画像の送信要求に応じて命令処理部１３４から入力されたスキャン処理の結果である読取画像を取得して、ネットワークＩ／Ｆ１１７を介してウェアラブル端末２に対して送信する。
【００６２】
次に、本実施形態に係るウェアラブル端末２のクライアントアプリケーション２３０の機能構成について、図９を参照して説明する。図９は、本実施形態に係るウェアラブル端末２のクライアントアプリケーション２３０の機能構成を例示するブロック図である。
【００６３】
図９に示すように、クライアントアプリケーション２３０は、端末機能情報送信部２３１、ジョブ情報取得部２３２、装置接続情報取得部２３３、接続処理部２３４、処理状態取得部２３５、データ取得部２３６、データ記憶処理部２３７、データ記憶部２３８及び画面生成部２３９を含む。なお、図６と同様に、図９においては、クライアントアプリケーション２３０の各構成部が人体通信Ｉ／Ｆ２１２、ネットワークＩ／Ｆ２１０、ＬＣＤ６０と直接接続された図となっているが、実際には入出力制御部１０２や表示制御部２０３の制御によりデータが入出力されている。また、ネットワークＩ／Ｆ１１７を介して行われるデータ入出力については、近距離通信Ｉ／Ｆ１１８を介して行われてもよい。
【００６４】
端末機能情報送信部２３１は、画像処理装置１との人体通信が確立されると、図７に示したようなウェアラブル端末２の端末機能情報を、人体通信Ｉ／Ｆ２１２を介して端末機能情報取得部１３１に対して送信する。なお、端末機能情報は、例えば、ウェアラブル端末２のＲＯＭ３０やＨＤＤ４０等の記憶媒体に予め記憶されているものとする。
【００６５】
ジョブ情報取得部２３２は、画像処理装置１との人体通信が確立されると、ジョブ情報送信部１３５から送信されたジョブ情報を、人体通信Ｉ／Ｆ２１２を介して取得して、後述する処理状態取得部２３５及びデータ取得部２３６に対して出力する。すなわち、ジョブ情報取得部２３２は、ジョブ情報に含まれるスキャン後の操作情報である処理情報を取得する処理情報取得部として機能する。
【００６６】
装置接続情報取得部２３３は、ジョブ情報取得部２３２によるジョブ情報の取得とともに、装置接続情報送信部１３６から送信された装置接続情報を、人体通信Ｉ／Ｆ２１２を介して取得して、接続処理部２３４に対して出力する。接続処理部２３４は、装置接続情報送信部１３６から入力された装置接続情報に基づいて、画像処理装置１とのネットワーク通信（例えば、Ｗｉ−Ｆｉのアドホックモード）を確立する処理を行う。
【００６７】
処理状態取得部２３５は、ネットワーク通信が確立されると、ジョブ情報取得部２３２から入力されたジョブ情報に含まれるジョブＩＤのジョブの処理状態の通知要求を、ネットワークＩ／Ｆ２１０を介して要求取得部１３７に対して出力する。また、処理状態取得部２３５は、処理状態の通知要求に応じて処理状態通知部１３８から通知された処理状態を取得して、画面生成部２３９に対して出力する。また、処理状態取得部２３５は、取得した処理状態が「処理完了」を示す場合、データ取得部２３６に対して処理完了を通知する。
【００６８】
データ取得部２３６は、処理状態取得部２３５から処理完了通知を受けると、ジョブ情報取得部２３２から入力されたジョブ情報に含まれるジョブＩＤのジョブの処理結果である読取画像の送信要求を、ネットワークＩ／Ｆ２１０を介して要求取得部１３７に対して出力する。また、データ取得部２３６は、読取画像の送信要求に応じてデータ送信部１３９から送信された読取画像を取得する。すなわち、データ取得部２３６は、読取画像を取得する読取画像取得部として機能する。
【００６９】
また、データ取得部２３６は、ジョブ情報取得部２３２から入力されたジョブ情報に含まれるスキャン後の操作情報が「表示」（表示処理）を示す場合、取得した読取画像を画面生成部２３９に対して出力し、「保存」（保存処理）を示す場合、取得した読取画像をデータ記憶処理部２３７に対して出力し、「表示」及び「保存」の両方である場合、取得した読取画像をデータ記憶処理部２３７及び画面生成部２３９に対して出力する。
【００７０】
データ記憶処理部２３７は、データ取得部２３６から入力された読取画像を、データ記憶部２３８に記憶させる。また、データ記憶処理部２３７は、データ記憶部２３８に読取画像を記憶させると、画面生成部２３９に対して、記憶処理の完了を通知する。データ記憶部２３８は、データ取得部２３６が取得した読取画像を格納する記憶媒体である。
【００７１】
画面生成部２３９は、処理状態取得部２３５及びデータ取得部２３６から入力された情報に応じて画面を生成し、ＬＣＤ６０に表示させる。図１０は、腕時計型のウェアラブル端末２のＬＣＤ６０に表示される画面を例示する図である。図１０に示した画面は、画面生成部２３９により生成されたものである。
【００７２】
画面生成部２３９は、処理状態取得部２３５から処理状態が入力されると、入力された処理状態に応じた画面を生成して、ＬＣＤ６０に画面を表示させる。例えば、画面生成部２３９が取得した処理状態が「処理中」を示す場合、図１０（ａ）に示すように、ＬＣＤ６０に「スキャン処理中」のメッセージが表示される。また、例えば、画面生成部２３９が取得した処理状態が「処理完了」を示す場合、図１０（ｂ）に示すように、ＬＣＤ６０に「スキャン処理完了」のメッセージが表示されるとともに、スキャン処理が完了した読取画像のデータを取得中であることを示す「データ受信中」のメッセージが表示される。
【００７３】
また、画面生成部２３９は、データ取得部２３６から読取画像が入力されると、例えば、図１０（ｃ）に示すように、入力された読取画像をＬＣＤ６０に表示させる。また、画面生成部２３９は、データ記憶処理部２３７から記憶処理の完了が通知されると、記憶処理の完了を示す画面を生成して、例えば、図１０（ｄ）に示すように、ＬＣＤ６０に「データ保存完了」と表示させる。
【００７４】
なお、図１０（ａ）、（ｂ）、（ｄ）のような処理状態のＬＣＤ６０への表示は必須ではなく、スキャン後の操作が「表示」である場合に読取画像がＬＣＤ６０に表示されればよい。また、スキャン後の操作が「表示」及び「保存」の両方である場合、ＬＣＤ６０への表示は読取画像を優先し、保存が完了した旨の表示が行われないようにしてもよいし、読取画像が表示されている画面上に同時に表示されてもよい。
【００７５】
すなわち、上述したデータ記憶処理部２３７及び画面生成部２３９は、データ取得部２３６が取得した読取画像を処理する読取画像処理部として機能する。
【００７６】
次に、本実施形態に係るシステムにおいて画像処理装置１及びウェアラブル端末２が連携したウェアラブルスキャンが行われる場合の動作について、図１１を参照して説明する。図１１は、本実施形態に係るシステムにおける上記動作を例示するシーケンス図である。まず、図５を示して説明したように、ウェアラブル端末２を装着したユーザがディスプレイパネル１１３を介してウェアラブルスキャンを選択してスタートボタンを押下すると、人体通信が確立される。
【００７７】
図１１に示すように、人体通信が確立されると、ウェアラブル端末２は、画像処理装置１に対して端末機能情報を人体通信により送信する（Ｓ１１００）。そして、ユーザがスタートボタン押下した指等を離すと、人体通信が切断される。ウェアラブル端末２から送信された端末機能情報を取得した画像処理装置１は、取得した端末機能情報に基づいて、図８に示すようなスキャン処理のための設定画面をディスプレイパネル１１３に表示する（Ｓ１１０１）。
【００７８】
ここで、ユーザがディスプレイパネル１１３に表示された設定画面を介して設定情報を設定し、スキャン処理を開始させるためにスタートボタンを押下すると、人体通信が確立される。画像処理装置１は、ディスプレイパネル１１３に表示された設定画面を介して設定された設定情報に基づいて、スキャン処理を開始する（Ｓ１１０２）。
【００７９】
スキャン処理を開始した画像処理装置１は、スキャン処理を開始したジョブのジョブ情報をウェアラブル端末２に対して人体通信により送信する（Ｓ１１０３）。また、画像処理装置１は、装置接続情報をウェアラブル端末２に対して人体通信により送信する（Ｓ１１０４）。そして、ユーザがスタートボタンを押下した指等を離すと、人体通信が切断される。
【００８０】
画像処理装置１から装置接続情報を取得したウェアラブル端末２は、取得した装置接続情報に基づいて、画像処理装置１との接続処理を行う（Ｓ１１０５）。これにより、画像処理装置１とウェアラブル端末２との間でネットワーク通信が確立される。
【００８１】
画像処理装置１とウェアラブル端末２との間でネットワーク通信が確立されると、ウェアラブル端末２は、ネットワーク通信により画像処理装置１に対して処理状態通知要求を送信する（Ｓ１１０６）。ウェアラブル端末２からの処理状態通知要求を取得した画像処理装置１は、「処理中」を示す処理状態をネットワーク通信によりウェアラブル端末２に対して通知する（Ｓ１１０７）。
【００８２】
そして、画像処理装置１において実行中であったスキャン処理が完了する（Ｓ１１０８）。画像処理装置１から「処理中」を示す処理状態を取得したウェアラブル端末２は、予め定められた時間経過後に、ネットワーク通信により画像処理装置１に対して処理状態通知要求を再度送信する（Ｓ１１０９）。ウェアラブル端末２からの処理状態通知要求を取得した画像処理装置１は、「処理完了」を示す処理状態をネットワーク通信によりウェアラブル端末２に対して通知する（Ｓ１１１０）。
【００８３】
画像処理装置１から「処理完了」を示す処理状態を取得したウェアラブル端末２は、ネットワーク通信により画像処理装置１に対して読取画像の取得要求を送信する（Ｓ１１１１）。ウェアラブル端末２から読取画像の取得要求を取得した画像処理装置１は、ネットワーク通信によりウェアラブル端末２に対して要求された読取画像を送信する（Ｓ１１１２）。読取画像の送信が完了すると、ネットワーク通信が切断される。
【００８４】
そして、ウェアラブル端末２は、送信された読取画像をスキャン後の操作情報に応じて、図１０（ｃ）に示すようにＬＣＤ６０に表示したり、データ記憶部２３８に記憶させたりする。
【００８５】
以上説明したように、本実施形態においては、画像処理装置１が、連携するウェアラブル端末２の画像表示に関する機能である表示機能情報を含む端末機能情報を取得して、取得した端末機能情報に含まれる表示機能情報に基づいて、スキャン処理の際に用いられる設定情報を生成するために画像処理装置１のディスプレイパネル１１３に表示される設定画面における設定項目の選択可否を制御する。これにより、設定画面がウェアラブル端末２よりも画面が広くＵＩが豊富な画像処理装置１のディスプレイパネル１１３上に表示されて、操作性がよくなるとともに、ウェアラブル端末２の表示機能では期待する表示結果が得られない設定項目が選択不可能になるよう設定画面が制御されるので、ウェアラブル端末上で読取画像を表示させるために用いられる設定情報を従来よりも容易に設定することが可能になる。
【００８６】
また、本実施形態においては、画像処理装置１とウェアラブル端末２との間の人体通信によりウェアラブル端末２の端末機能情報が画像処理装置１に対して送信される。これにより、ウェアラブル端末２上で画像処理装置１と通信するための設定操作を行うことなく、ウェアラブル端末２を装着したユーザが画像処理装置１の人体通信Ｉ／Ｆ１１９に触れるだけで両端末間の通信が可能になるので、画像処理装置１が設定画面を生成するために用いられる端末機能情報の取得が従来よりも容易になる。しかしながら、このような構成は必須ではなく、ウェアラブル端末２と画像処理装置１とをＵＳＢ接続して通信する等、他の接続方法が用いられてもよい。
【００８７】
また、本実施形態においては、画像処理装置１とウェアラブル端末２との間の人体通信により画像処理装置１と人体通信以外の手段で通信するための装置接続情報がウェアラブル端末２に対して送信され、ウェアラブル端末２は送信された装置接続情報に基づいて画像処理装置１と人体通信以外の通信を確立して画像処理装置１から読取画像を受信する。これにより、ウェアラブル端末２上で画像処理装置１とネットワーク通信等を行うための装置接続情報の入力等を行うことなく、ウェアラブル端末２を装着したユーザが画像処理装置１の人体通信Ｉ／Ｆ１１９に触れるだけで装置接続情報を取得することができるので、画像処理装置１とウェアラブル端末２とのネットワーク通信の確立が従来よりも容易になる。また、このように確立された人体通信以外の通信により画像データがウェアラブル端末２に対して送信されるので、画像データの送信が完了するまでウェアラブル端末２を装着したユーザが画像処理装置１に触れている必要がない。なお、このような構成は必須ではなく、ウェアラブル端末２と画像処理装置１とをＵＳＢ接続して通信する等、他の接続方法が用いられてもよい。
【００８８】
また、本実施形態においては、実施可能処理情報を含む端末機能情報に基づいて生成された設定画面を介してスキャン後の操作が設定され、ジョブ情報としてウェアラブル端末２に送信され、ウェアラブル端末２が画像処理装置１から送信された読取画像に対して、送信されたスキャン後の操作に従って処理を行う。これにより、受信した読取画像に対して行う操作をウェアラブル端末２上で設定する必要がないので、スキャン後の操作の設定を従来よりも容易に行うことが可能になる。なお、このような構成は必須ではなく、スキャン後の操作がウェアラブル端末２において予め定められていてもよい。この場合、端末機能情報に実施可能処理情報が含まれていなくてもよい。
【００８９】
なお、上記実施形態においては、スキャン後の操作がジョブＩＤとともにジョブ情報として人体通信によりウェアラブル端末２に対して送信される場合を例として説明した。その他、画像処理装置１とウェアラブル端末２との間で確立されたネットワーク通信により、ジョブＩＤとは別にスキャン後の操作がウェアラブル端末２に対して送信するようにしてもよい。この場合、人体通信で送信が必要な情報が軽減され、ウェアラブル端末２を装着したユーザが画像処理装置１に触れる時間を減らすことができる。
【００９０】
また、上記実施形態においては、設定画面生成部１３２は選択不可能な項目についても表示されている設定画面を生成する場合を例として説明した。その他、選択不可能な項目は非表示とする設定画面を生成してもよい。
【００９１】
また、上記実施形態においては、画像処理装置１は、ウェアラブル端末２からの要求に応じて、処理状態を通知したり、読取画像を送信したりする場合を例として説明した。その他、画像処理装置１は、ウェアラブル端末２との人体通信以外の通信が確立されると、ウェアラブル端末２からの要求なしに定期的に処理状態を通知してもよいし、スキャン処理が完了すると読取画像を送信するようにしてもよい。
【００９２】
また、上記実施形態においては、ウェアラブル端末２は、ディスプレイ種別、対応画像フォーマット及び実行可能オペレーションを含む端末機能情報を、人体通信により画像処理装置１に対して送信する場合を例として説明した。その他、ウェアラブル端末２は、ウェアラブル端末２のベンダを識別するベンダＩＤ及びウェアラブル端末２のプロダクトＩＤを含む端末識別情報を、人体通信により画像処理装置１に対して送信してもよい。以下、このような場合における本発明の実施形態を説明する。
【００９３】
図１２は、ウェアラブル端末２がウェアラブル端末２のベンダＩＤ及びプロダクトＩＤを含む端末識別情報を画像処理装置１に対して送信する場合の主制御部１３０の機能構成の一部を例示するブロック図である。図１２に示すように、主制御部１３０は、図６に示した機能構成に加えて端末識別情報取得部１４０及び端末機能情報テーブル記憶部１４１を含む。なお、図１２においては図６を示して説明した構成と同様の構成については記載を省略しており、以下、図６に示した構成と異なる構成のみを説明する。
【００９４】
端末識別情報取得部１４０は、人体通信が確立されると、人体通信Ｉ／Ｆ１１９を介してウェアラブル端末から送信されたベンダＩＤ及びプロダクトＩＤを端末識別情報として取得して、端末機能情報取得部１３１に対して出力する。端末機能情報取得部１３１は、端末識別情報取得部１４０から入力された端末識別情報及び端末機能情報テーブル記憶部１４１に格納されている端末機能情報テーブルに基づいて、端末機能情報を取得して、設定画面生成部１３２に対して出力する（詳細は図１４を参照して後述）。
【００９５】
図１３は、端末機能情報テーブル記憶部１４１に記憶されている端末機能情報テーブルを例示する図である。端末機能情報テーブル記憶部１４１は、管理者等により予め設定された端末機能情報テーブルを格納する記憶媒体である。図１３に示すように端末機能情報テーブルは、ベンダＩＤ及びプロダクトＩＤの組合せとディスプレイ種別、対応画像フォーマット及び実行可能オペレーションを含む端末機能情報とが関連付けられている。例えば、図１３に示すように、ベンダＩＤが「０ｘ０１０１」でありプロダクトＩＤが「０ｘ０００１」である組合せに対して、ディスプレイ種別が「モノクロ」、対応画像フォーマットが「ＪＰＥＧ」、実行可能オペレーションが「表示」である端末機能情報が関連付けられている。なお、端末機能情報テーブル記憶部１４１に記憶されている端末機能情報テーブルはソフトウェアアップデート等により外部から適宜アップデートされてもよい。
【００９６】
図１４は、端末機能情報取得部１３１による端末機能情報取得処理を例示するフローチャートである。図１４に示すように、端末機能情報取得部１３１は、端末識別情報取得部１４０から入力された端末識別情報に含まれるベンダＩＤ及びプロダクトＩＤを取得する（Ｓ１４００）。
【００９７】
ベンダＩＤ及びプロダクトＩＤを取得した端末機能情報取得部１３１は、端末機能情報テーブル記憶部１４１に記憶されている端末機能情報テーブルのベンダＩＤ及びプロダクトＩＤの組合せそれぞれと取得したベンダＩＤ及びプロダクトＩＤとを比較する（Ｓ１４０１）。
【００９８】
端末機能情報テーブル記憶部１４１に記憶されている端末機能情報テーブルの中にベンダＩＤ及びプロダクトＩＤが一致する端末機能情報がある場合（Ｓ１４０２／ＹＥＳ）、端末機能情報取得部１３１は、端末機能情報テーブル記憶部１４１に記憶されている端末機能情報テーブルからベンダＩＤ及びプロダクトＩＤが一致する端末機能情報を取得する（Ｓ１４０３）。
【００９９】
例えば、端末識別情報取得部１４０から入力された端末識別情報に含まれるベンダＩＤが「０ｘ０１０１」、プロダクトＩＤが「０ｘ０００２」である場合、端末機能情報取得部１３１は、端末機能情報テーブル記憶部１４１に記憶されている図１３に示した端末機能情報テーブルから、入力されたベンダＩＤ及びプロダクトＩＤの組合せに関連付けられているディスプレイ種別が「モノクロ」、対応画像フォーマットが「ＪＰＥＧ」及び「ＰＤＦ」、実行可能オペレーションが「表示」及び「保存」である端末機能情報を取得する。
【０１００】
一方、端末機能情報テーブル記憶部１４１に記憶されている端末機能情報テーブルの中にベンダＩＤ及びプロダクトＩＤが一致する端末機能情報がない場合（Ｓ１４０２／ＮＯ）、端末機能情報取得部１３１は、図示しない外部サーバに記憶されている端末機能情報テーブルのベンダＩＤ及びプロダクトＩＤそれぞれと、Ｓ１４００において取得したベンダＩＤ及びプロダクトＩＤとを比較する（Ｓ１４０４）。
【０１０１】
外部サーバに記憶されている端末機能情報テーブルの中にベンダＩＤ及びプロダクトＩＤが一致する端末機能情報がある場合（Ｓ１４０５／ＹＥＳ）、端末機能情報取得部１３１は、外部サーバに記憶されている端末機能情報テーブルからベンダＩＤ及びプロダクトＩＤが一致する端末機能情報を取得する（Ｓ１４０６）。一方、外部サーバに記憶されている端末機能情報テーブルの中にベンダＩＤ及びプロダクトＩＤが一致する端末機能情報がない場合（Ｓ１４０５／ＮＯ）、端末機能情報取得部１３１は、端末機能情報を取得することなく処理を終了する。
【０１０２】
設定画面生成部１３２は、端末機能情報取得部１３１から入力された端末機能情報に基づいて、図６を示して説明した場合と同様に、画像処理装置１のディスプレイパネル１１３に表示される設定画面を生成する。また、端末機能情報取得部１３１が端末機能情報を取得できなかった場合、設定画面生成部１３２は、端末機能情報取得部１３１からその旨の通知を受け、デフォルトで設定されている設定画面を生成する。
【０１０３】
このような構成により、端末機能情報は画像処理装置１側で制御しているので、画像処理装置１は、端末機能情報に含まれる情報の編集を行う等、端末機能情報を柔軟に管理することができるとともに、ウェアラブル端末２からは端末を識別する情報のみを取得するだけで設定画面を生成することが可能になる。
【０１０４】
なお、上記実施形態においては、ベンダＩＤ及びプロダクトＩＤを端末識別情報とする場合を例として説明した。しかしながら、これは一例であり、ベンダＩＤ及びプロダクトＩＤからなる１つのＩＤや一意に識別可能な端末ＩＤ等、各ウェアラブル端末２を一意に識別可能な情報であればよい。また、端末識別情報は、各ウェアラブル端末２を一意に識別するのではなく、ウェアラブル端末の機種ごと等の予め定められた端末グループを識別可能な情報であってもよい。
【０１０５】
また、上記実施形態においては、端末機能情報取得部１３１は、端末機能情報テーブル記憶部１４１に記憶されている端末機能情報テーブルの中に該当する端末機能情報がない場合、外部サーバに記憶されている端末機能情報テーブルを参照する場合を例として説明したが、外部サーバは必須ではなく、外部サーバが存在しない場合、端末機能情報取得部１３１は、端末機能情報を取得することなく処理を終了する。また、外部サーバは複数存在してもよい。
【０１０６】
また、上記実施形態においては、端末機能情報取得部１３１は、端末機能情報テーブル記憶部１４１や外部サーバに記憶されている端末機能情報テーブル中に該当する端末機能情報がない場合、端末機能情報取得部１３１は、端末機能情報を取得することなく処理を終了し、設定画面生成部１３２がデフォルトの設定画面を生成する場合を例として説明した。その他、端末機能情報取得部１３１が予め定められたデフォルトの端末機能情報を設定画面生成部１３２に対して出力し、設定画面生成部１３２は、端末機能情報取得部１３１から入力されたデフォルトの端末機能情報に基づいて設定画面を生成するようにしてもよい。
【０１０７】
また、これらの実施形態においては、画像処理装置１においてスキャン処理により生成された読取画像をウェアラブル端末２に対して配信する読取画像配信システムを具体例として説明した。その他、ウェアラブル端末２に蓄積された画像データを画像処理装置１に印刷処理させる印刷システムにも本実施形態を適用可能である。この場合、例えば、撮像機構としてカメラを搭載したウェアラブル端末２が撮像した画像データを画像処理装置１において印刷処理するとする。また、この場合、端末機能情報は、例えば、ウェアラブル端末２に搭載されているカメラで撮像可能なカラーモード（例えば、「モノクロ」）を含む。
【０１０８】
画像処理装置１は、ウェアラブル端末２から受信した端末機能情報に基づいて、印刷処理のための設定画面を表示する。例えば、端末機能情報に含まれるカラーモードが「モノクロ」である場合、画像処理装置１は、印刷のカラーモードとして「モノクロ」が選択可能であり「カラー」が選択不可能な設定画面を表示する。印刷処理が開始されると、ウェアラブル端末２のＬＣＤ６０に印刷処理の状態が表示され、印刷処理が完了するとその旨が表示される。なお、スキャン処理を行う場合と異なり、処理結果としてウェアラブル端末２に送信するデータはないので、図６に示したデータ送信部１３９や図９に示したデータ取得部２３６、データ記憶処理部２３７及びデータ記憶部２３８の構成は除かれる。
【符号の説明】
【０１０９】
１  画像処理装置
２  ウェアラブル端末２
１０  ＣＰＵ
２０  ＲＡＭ
３０  ＲＯＭ
４０  ＨＤＤ
５０  Ｉ／Ｆ
６０  ＬＣＤ
７０  操作部
８０  バス
１００  コントローラ
１０１  エンジン制御部
１０２  入出力制御部
１０３  画像処理部
１０４  操作表示制御部
１１０  ＡＤＦ
１１１  スキャナユニット
１１２  排紙トレイ
１１３  ディスプレイパネル
１１４  給紙テーブル
１１５  プリントエンジン
１１６  排紙トレイ
１１７  ネットワークＩ／Ｆ
１１８  近距離通信Ｉ／Ｆ
１１９  人体通信Ｉ／Ｆ
１３０  主制御部
１３１  端末機能情報取得部
１３２  設定画面生成部
１３３  設定画面受付部
１３４  命令処理部
１３５  ジョブ情報送信部
１３６  装置接続情報送信部
１３７  要求取得部
１３８  処理状態通知部
１３９  データ送信部
２００  コントローラ
２０１  入出力制御部
２０２  操作制御部
２０３  表示制御部
２１０  ネットワークＩ／Ｆ
２１１  近距離通信Ｉ／Ｆ
２１２  人体通信Ｉ／Ｆ
２３０  クライアントアプリケーション
２３１  端末機能情報送信部
２３２  ジョブ情報取得部
２３３  装置接続情報取得部
２３４  接続処理部
２３５  処理状態取得部
２３６  データ取得部
２３７  データ記憶処理部
２３８  データ記憶部
２３９  画面生成部
【先行技術文献】
【特許文献】
【０１１０】
【特許文献１】特許第４１５６５３１号公報
【図１】
2015133674.tif 000003
【図２】
2015133674.tif 000004
【図３】
2015133674.tif 000005
【図４】
2015133674.tif 000006
【図５】
2015133674.tif 000007
【図６】
2015133674.tif 000008
【図７】
2015133674.tif 000009
【図８】
2015133674.tif 000010
【図９】
2015133674.tif 000011
【図１０】
2015133674.tif 000012
【図１１】
2015133674.tif 000013
【図１２】
2015133674.tif 000014
【図１３】
2015133674.tif 000015
【図１４】
2015133674.tif 000016